(57)【特許請求の範囲】
【請求項１】
毛髪化粧料を貯蔵する毛髪化粧料容器と、
櫛歯またはブラシ歯を有し、装着部によって前記毛髪化粧料容器の開口部に装着され、前記毛髪化粧料容器から供給される毛髪化粧料を毛髪に塗布する塗布部と
を備え、該塗布部には、前記櫛歯またはブラシ歯の周囲に前記毛髪化粧料を吐出することができる様に開口された複数の同一径の細孔と、前記装着部から前記複数の細孔まで前記毛髪化粧料を導く主通路とが設けられた毛髪化粧用具において、
前記毛髪化粧料が前記複数の細孔の全てから吐出される全体吐出状態と、前記細孔の少なくとも１つからは吐出されない部分吐出状態とを外部操作により切り換えるための吐出状態切換手段を備え、
前記主通路は、前記塗布部における先端側の第１の領域に形成された前記細孔に前記毛髪化粧料を導く第１通路と、前記塗布部における前記毛髪化粧料容器側の第２の領域に形成された前記細孔に前記毛髪化粧料を導く第２通路とから成るとともに、前記第１通路は前記第２通路よりも太く形成されており、
前記吐出状態切換手段は、外部操作により前記第２通路を開閉可能な第２通路開閉手段により構成されるとともに、外部から該第２通路開閉手段が操作され、前記第２通路が閉塞されることにより前記部分吐出状態へと切り換えられるように構成され、
前記塗布部の前記装着部には前記第１通路及び前記第２通路が開口し、前記塗布部の前記装着部は前記毛髪化粧料容器の前記開口部に対して回動自在に装着されており、
前記第２通路開閉手段は、前記開口部に、第１の回動位置で前記第２通路と前記毛髪化粧料容器とを連通し、第２の回動位置で連通を解除可能に設けられる通路選択孔により構成され、
外部から前記塗布部が操作され、前記開口部に対する前記装着部の回動位置が前記第２の回動位置に変位させられることにより前記第２通路が閉塞されることを特徴とする毛髪化粧用具。
【発明の詳細な説明】
【０００１】
【発明の属する技術分野】
本発明は、毛髪化粧料容器に貯蔵される毛髪化粧料を櫛歯またはブラシ歯の周囲に吐出し、この櫛歯またはブラシ歯を用いて毛髪化粧料を毛髪に塗布する毛髪化粧用具に関する。
【０００２】
【従来の技術】
従来、毛髪化粧料容器に貯蔵される毛髪化粧料を櫛歯またはブラシ歯の周囲に吐出し、この櫛歯またはブラシ歯を用いて毛髪化粧料を毛髪に塗布する毛髪化粧用具としては、図７、８に示す様なものが知られている。図７は、従来の毛髪化粧用具の側面図（ａ）及び平面図（ｂ）であり、図８は、従来の毛髪化粧用具の塗布部の側面断面図である。この毛髪化粧用具１は、ブラシ歯２２を有する塗布部２０と、毛髪化粧料容器４０とを備え、塗布部２０の首部２１が毛髪化粧料容器４０の肩部４１に装着されることによって接続されている。塗布部２０には、毛髪化粧料をブラシ歯２２の周囲に吐出するための細孔２６と、毛髪化粧料を毛髪化粧料容器４０から細孔２６まで導くための主通路２４とが設けられている。毛髪化粧料容器４０は、周知のエアゾール容器であり、噴射釦として機能する肩部４１が押下されると、毛髪化粧料容器４０に貯蔵されている毛髪化粧料は、毛髪化粧料容器４０から噴出され、主通路２４を経由して細孔２６の先端から吐出される。細孔２６はブラシ歯２２が設けられている領域の略全域に設けられており、毛髪化粧料は略全てのブラシ歯２２の周囲に保持される。そして、略全てのブラシ歯２２の周囲に毛髪化粧料を保持した状態で毛髪を梳かすことにより、毛髪化粧料を毛髪に塗布する。この様に毛髪化粧料が塗布部の広い領域に吐出されるので、例えば毛髪全体に毛髪化粧料を塗布する場合等には、塗布の効率が非常によい。
【０００３】
【発明が解決しようとする課題】
しかし、前述した従来の毛髪化粧用具１では、毛髪化粧料が塗布部の広い領域に吐出されるので、例えば毛髪の部分染めや部分整髪等の様に毛髪化粧料を毛髪の一部分に塗布する場合には、塗布したい箇所だけでなく、その周囲の塗布する必要がない箇所、あるいは塗布してはならない箇所にも塗布してしまうことがある、という問題がある。また、毛髪の一部分に塗布する場合には、毛髪化粧料が塗布部の広い領域に吐出されても、その多くは使用されずに処分されるので、非経済的である、という問題もある。
【０００４】
本発明は、この様な問題を解決するためになされたものであり、櫛歯またはブラシ歯を有する塗布部に毛髪化粧料を吐出する際、必要に応じて吐出範囲を調節し、毛髪の全体にも一部分にも効率的に毛髪化粧料を塗布することができる毛髪化粧用具を提供することを目的とする。
【０００５】
【課題を解決するための手段、及び発明の効果】
この様な目的を達成するため、本発明にかかる毛髪化粧用具は、毛髪化粧料を貯蔵する毛髪化粧料容器と、櫛歯またはブラシ歯を有し、装着部によって前記毛髪化粧料容器の開口部に装着され、前記毛髪化粧料容器から供給される毛髪化粧料を毛髪に塗布する塗布部とを備え、該塗布部には、前記櫛歯またはブラシ歯の周囲に前記毛髪化粧料を吐出することができる様に開口された複数の同一径の細孔と、前記装着部から前記複数の細孔まで前記毛髪化粧料を導く主通路とが設けられた毛髪化粧用具において、前記毛髪化粧料が前記複数の細孔の全てから吐出される全体吐出状態と、前記細孔の少なくとも１つからは吐出されない部分吐出状態とを外部操作により切り換えるための吐出状態切換手段を備えることを特徴とする。
【０００６】
本発明にかかる毛髪化粧用具では、吐出状態切換手段によって、従来の毛髪化粧用具の様に全ての細孔から毛髪化粧料が吐出される全体吐出状態と、少なくとも１つの細孔からは毛髪化粧料が吐出されない部分吐出状態とを切り換えることができる。
【０００７】
この様に、本発明にかかる毛髪化粧用具においては、吐出状態切換手段によって吐出領域を調節することができるので、毛髪の全体にも一部分にも効率よく毛髪化粧料を塗布することができる、という効果が得られる。従って、部分染めや部分整髪等を行う場合には、吐出領域を狭く調節することによって、塗布する必要がない箇所あるいは塗布してはならない箇所へ毛髪化粧料が及ばない様にすることができる。また、使用されずに処分される分量を大幅に低減することができるので、非常に経済的である。
【０００８】
そして、前記主通路は、前記塗布部における先端側の第１の領域に形成された前記細孔に前記毛髪化粧料を導く第１通路と、前記塗布部における前記毛髪化粧料容器側の第２の領域に形成された前記細孔に前記毛髪化粧料を導く第２通路とから成るとともに、前記第１通路は前記第２通路よりも太く形成されており、前記吐出状態切換手段は、外部操作により前記第２通路を開閉可能な第２通路開閉手段により構成され、外部から該第２通路開閉手段が操作され、前記第２通路が閉塞されることにより前記部分吐出状態へと切り換えられる様に構成されている。
【０００９】
この様に構成されているため、外部から第２通路を閉塞するための操作を行うだけで、当該通路に対応する領域へ毛髪化粧料が吐出されない様にすることができる、即ち部分吐出状態へ切り換えることができる。従って、吐出状態を容易に切り換えることができる、という効果が得られる。
【００１０】
ここで、第１通路及び第２通路は、個々に毛髪化粧料容器と連通していてもよいし、１つの通路によって毛髪化粧料容器と連通し、この通路が途中で第１通路及び第２通路に分岐する様に構成されていてもよい。
【００１１】
【００１２】
また、前記塗布部の前記装着部には前記第１通路及び前記第２通路が開口し、前記塗布部の前記装着部は前記毛髪化粧料容器の前記開口部に対して回動自在に装着されており、前記第２通路開閉手段は、前記開口部に、第１の回動位置で前記第２通路と前記毛髪化粧料容器とを連通し、第２の回動位置で連通を解除可能に設けられる通路選択孔により構成され、外部から前記塗布部が操作され、前記開口部に対する前記装着部の回動位置が前記第２の回動位置に変位させられることにより前記第２通路が閉塞される。
【００１３】
この様に構成されているため、塗布部を毛髪化粧料容器に対して回動させるだけで通路を閉塞することができる、即ち部分吐出状態へ切り換えることができる。従って、同様に、吐出状態の切り換えを非常に容易に行うことができる、という効果が得られる。
【００１４】
【００１５】
【００１６】
【００１７】
【００１８】
【００１９】
【００２０】
【００２１】
【発明の実施の形態】
以下、本発明の実施の形態を図面に基づいて説明する。
［参考例１］
【００２２】
まず本参考例の毛髪化粧用具の構成について説明する。
図１は、本参考例の毛髪化粧用具の塗布部の構造を説明するための側面断面図であり、図２は、後述する圧迫突起及び伸縮薄膜周辺の構造を説明するための模式的断面図である。
【００２３】
本参考例の毛髪化粧用具は、従来の毛髪化粧用具１と同様に塗布部２０と毛髪化粧料容器４０とを備え、前述した装着部としての首部２１及び開口部としての肩部４１を介して接続されている。
塗布部２０は、ブラシ歯２２と、第１通路２４ａと、第２通路２４ｂと、細孔２６とを備える。
【００２４】
ブラシ歯２２は、毛髪を梳かすための周知のものであり、塗布部２０の表面に毛髪を良好に梳かすことができる様に配置されている。
第１通路２４ａは、毛髪化粧料容器４０から噴出される毛髪化粧料を、塗布部２０の先端側、即ち前述した第１の領域に設けられている細孔２６（図１における上側４つの細孔）に導くためのものである。
【００２５】
第２通路２４ｂは、毛髪化粧料を、塗布部２０の毛髪化粧料容器４０側、即ち前述した第２の領域に設けられている細孔２６（図１における下側９つの細孔）に導くためのものである。
細孔２６は、第１通路２４ａあるいは第２通路２４ｂを介して毛髪化粧料容器４０から供給される毛髪化粧料を、ブラシ歯２２の周囲に吐出するためのものである。
【００２６】
第２通路２４ｂには、前述した伸縮可能な壁面としての伸縮薄膜２８と、前述した圧迫部材としての圧迫突起３０とが設けられている。そして、第２通路２４ｂは、伸縮薄膜２８及び圧迫突起３０の毛髪化粧料容器４０側で第１通路２４ａと合流し、合流箇所より毛髪化粧料容器４０までは主通路２４によって接続されている。
【００２７】
伸縮薄膜２８は、合成樹脂で形成された伸縮性を有する薄膜であり、図２（ａ）に示す様な平らな形状から、図２（ｂ）に示す様な湾曲した形状へと変化することができる。
圧迫突起３０は、伸縮薄膜２８の表面に対向して設けられており、指等によって図２（ａ）に示す矢印の方向へ付勢されると、図２（ａ）に示す様な状態から、図２（ｂ）に示す様な状態へと変化する。
【００２８】
ここで、伸縮薄膜２８及び圧迫突起３０は、図２（ｂ）の状態において毛髪化粧料が第２通路２４ｂを通過することができない様に、その形状等が設定されている。
なお、本参考例の毛髪化粧用具の外観は、圧迫突起３０が設けられている箇所以外は、従来の毛髪化粧用具と略同一であるので、本参考例の毛髪化粧用具についての側面図、平面図等は省略する。また、毛髪化粧料容器４０の構造も従来の毛髪化粧用具と同一であるので、詳細な説明は省略する。
【００２９】
次に、本参考例の毛髪化粧用具の作用について説明する。
本参考例の毛髪化粧用具では、従来の毛髪化粧用具と同様に、毛髪化粧料は、肩部４１を押下することによって毛髪化粧料容器４０から噴出される。すると、毛髪化粧料は、主通路２４を通って塗布部２０へ向かう。途中、主通路２４が第１通路２４ａと第２通路２４ｂとに分岐しているので、毛髪化粧料は、第１通路２４ａと第２通路２４ｂとに分かれて塗布部２０へ向かう。
【００３０】
通常時、即ち伸縮薄膜２８及び圧迫突起３０が図２（ａ）に示す様な状態である場合には、毛髪化粧料は、第１通路２４ａ及び第２通路２４ｂを通って塗布部２０に到達し、全ての細孔２６から吐出される。そして、細孔２６から吐出された毛髪化粧料は、塗布部２０全体のブラシ歯２２の周囲に保持される。毛髪化粧用具を使用する者は、毛髪化粧料が塗布部２０全体に保持された状態で毛髪を梳かすことにより、例えば毛髪全体等の広い範囲に毛髪化粧料を塗布し、染毛や整髪を行う。
【００３１】
そして、部分染めあるいは部分整髪を行いたい場合には、指等で圧迫突起３０を押圧しながら、肩部４１を押下する。このとき、伸縮薄膜２８及び圧迫突起３０は図２（ｂ）に示す様な状態であり、第２通路２４ｂは閉塞されている。肩部４１を押下することによって毛髪化粧料容器４０から噴射された毛髪化粧料は、前述した通常時と同様に、主通路２４を通り、主通路２４が第１通路２４ａと第２通路２４ｂとに分岐する箇所まで到達する。その後、毛髪化粧料は、第１通路２４ａ及び第２通路２４ｂに分かれて塗布部２０へと向かうのであるが、第２通路２４ｂは伸縮薄膜２８の変形によって閉塞されており、通過することができない。このため、毛髪化粧料は、第２通路２４ｂの先に設けられている細孔２６（図１における下側９つの細孔）には供給されず、塗布部２０の中央付近から毛髪化粧料容器４０側には毛髪化粧料は吐出されない。従って、毛髪化粧料は、塗布部２０の先端側のブラシ歯２２（図１における上側５本あるいは６本程度のブラシ歯）の周囲にのみ保持される。そして、この状態で所望する部分の毛髪を梳かすことにより、部分染めあるいは部分整髪を行う。
【００３２】
なお、塗布部２０の先端側は図１の様に傾斜しているので、部分染め等の操作を容易かつ円滑に行うことができる。ここで、図１に示す角度θは１００°〜１７５°であることが好ましい。そして、特に１２０°〜１７０°であれば、一層容易かつ円滑に部分染め等を行うことができる。
【００３３】
次に、本参考例の毛髪化粧用具の効果について説明する。
本参考例の毛髪化粧用具は、上記の様な構成であり、上記の様に作用するので、次の１）及び２）の様な効果が得られる。
１）本参考例の毛髪化粧用具では、伸縮薄膜２８及び圧迫突起３０による第２通路２４ｂの開放・閉塞によって、全ての細孔２６から毛髪化粧料が吐出される全体吐出状態と、塗布部２０の毛髪化粧料容器４０側に設けられた細孔２６からは毛髪化粧料が吐出されない部分吐出状態とを切り換えることができるので、毛髪の全体にも一部分にも効率よく毛髪化粧料を塗布することができる、という効果が得られる。従って、部分染めや部分整髪等を行う場合には、吐出領域を狭く調節することによって、塗布する必要がない箇所あるいは塗布してはならない箇所へ毛髪化粧料が及ばない様にすることができる。また、使用されずに処分される分量を大幅に低減することができるので、非常に経済的である。
【００３４】
２）本参考例の毛髪化粧用具では、外部から指等で圧迫突起３０を押圧して伸縮薄膜２８を圧迫するだけで、第２通路２４ｂを閉塞して部分吐出状態へ切り換えることができるので、吐出状態の切り換え操作を非常に容易に行うことができる、という効果が得られる。
【００３５】
［実施例］
まず本実施例の毛髪化粧用具の構成について説明する。
【００３６】
図３は、本実施例の毛髪化粧用具の首部と肩部とが接続する箇所の構造を説明するための模式的側面断面図（ａ）（ｂ）、Ａ−Ａにおける首部の平面断面図（ｃ）及びＢ−Ｂにおける肩部の平面断面図（ｄ）である。
本実施例の毛髪化粧用具においては、前述した開口部としての肩部４１に主通路２４が開口し、前述した装着部としての首部２１に第１通路２４ａ及び第２通路２４ｂが開口している。また、首部２１及び肩部４１は共に断面が略円形で中心軸ＡＸが共通であり、中心軸ＡＸの周りを相対的に回動することができる様に装着されている。そして、図３（ｄ）に示す様な断面形状の主通路２４が前述した通路選択孔として機能し、図３（ａ）に示す様な回動位置が前述した第１の回動位置に該当し、図３（ｂ）に示す様な回動位置が前述した第２の回動位置に該当する。
【００３７】
なお、本実施例の毛髪化粧用具の塗布部２０の構成は、参考例１の毛髪化粧用具のものと同一であるため説明を省略する。また、参考例１の毛髪化粧用具の特徴的構成要素である伸縮薄膜２８及び圧迫突起３０を備えていないので、本実施例の外観は、従来の毛髪化粧用具の外観と同一である。
【００３８】
次に、本実施例の毛髪化粧用具の作用について説明する。
本実施例の毛髪化粧用具では、通常時、即ち首部２１と肩部４１との位置関係が図３（ａ）に示す様な状態である場合、即ち第１の回動位置にある場合には、肩部４１内の主通路２４を通って肩部４１と首部２１とが接続する箇所まで到達した毛髪化粧料は、第１通路２４ａと第２通路２４ｂとに分かれて塗布部２０へ向かう。そして、全ての細孔２６から吐出される。
【００３９】
そして、部分染めあるいは部分整髪を行いたい場合には、まず、肩部４１を固定した状態で首部２１を１８０度回動させ、図３（ｂ）に示す様な回動位置、即ち第２の回動位置にする。すると、第２通路２４ｂと主通路２４との連通は完全に解除される。即ち第２通路は閉塞される。そして、肩部４１を押下する。このとき、第２通路２４ｂは閉塞されているので、毛髪化粧料容器４０から噴射された毛髪化粧料は、全て第１通路２４ａを通って塗布部２０へと向かう。このため、毛髪化粧料は、塗布部２０の先端側のブラシ歯２２（図１における上側５本あるいは６本程度のブラシ歯）の周囲にのみ保持される。そして、この状態で所望する部分の毛髪を梳かすことにより、部分染めあるいは部分整髪を行う。
【００４０】
次に、本実施例の毛髪化粧用具の効果について説明する。
本実施例の毛髪化粧用具は、上記の様な構成であり、上記の様に作用するので、前述した１）の効果が得られると共に、次の３）の様な効果が得られる。
３）本実施例の毛髪化粧用具では、塗布部２０の首部２１を毛髪化粧料容器４０の肩部４１に対して回動させるだけで、第２通路２４ｂを閉塞して部分吐出状態へ切り換えることができるので、吐出状態の切り換えを非常に容易に行うことができる、という効果が得られる。
【００４１】
［参考例２］
まず本参考例の毛髪化粧用具の構成について説明する。
【００４２】
図４は、本参考例の毛髪化粧用具の塗布部の構造を説明するための側面断面図（ａ）（ｂ）、及び後述する摺動板３２の平面図（ｃ）である。
本参考例の毛髪化粧用具は、従来の毛髪化粧用具１と同様に塗布部２０と毛髪化粧料容器４０とを備え、塗布部２０は首部２１及び肩部４１を介して毛髪化粧料容器４０に接続されている。
【００４３】
塗布部２０は、ブラシ歯２２と、主通路２４と、細孔２６と、摺動板３２と、収納部３４とを備える。
ブラシ歯２２、主通路２４及び細孔２６は、従来の毛髪化粧用具と同一であるので、説明を省略する。
【００４４】
摺動板３２は、前述した細孔選択部材として機能するものであり、連通孔３２ａを有する。
収納部３４は、摺動板３２を図４（ａ）の上下方向に摺動可能に収納するためのものであり、細孔２６を延長した位置に細孔２６と略同径の孔３４ａが設けられている。
【００４５】
そして、摺動板３２及び収納部３４は、毛髪化粧用具が図４（ａ）に示す様な正立状態、即ち塗布部２０が上となり毛髪化粧料容器４０が下となる状態においては、細孔２６、連通孔３２ａ及び孔３４ａが対応し、細孔２６と主通路２４とが連通しているが、毛髪化粧用具全体を倒立させると、摺動板３２は重力に従って塗布部２０の先端側へ摺動して図４（ｂ）に示す様な状態となり、細孔２６を閉塞する様に構成されている。
【００４６】
なお、本参考例の毛髪化粧用具の外観は、従来の毛髪化粧用具と同一であるので、本参考例の毛髪化粧用具についての側面図、平面図等は省略する。また、毛髪化粧料容器４０及び肩部４１の構造も従来の毛髪化粧用具と同一であるので、毛髪化粧料容器４０及び肩部４１についての詳細な説明も省略する。
【００４７】
次に、本参考例の毛髪化粧用具の作用について説明する。
本参考例の毛髪化粧用具では、通常時、即ち摺動板３２が図４（ａ）に示す様な状態である場合には、毛髪化粧料は、主通路２４を通り、全ての細孔２６から吐出される。
【００４８】
そして、部分染めあるいは部分整髪を行いたい場合には、毛髪化粧用具全体を倒立させて摺動板３２を摺動させ、図４（ｂ）に示す様な状態になってから、肩部４１を押下する。このとき、図４（ｂ）に示す様に毛髪化粧料容器４０側の細孔２６（図４（ｂ）における上側９つの細孔）は摺動板３２によって閉塞されているので、毛髪化粧料容器４０から噴射された毛髪化粧料は、塗布部２０の先端側に設けられた細孔２６（図４（ｂ）における下側４つの細孔）のみに導かれ、塗布部２０の先端側のブラシ歯２２（図４（ｂ）における下側５本あるいは６本程度のブラシ歯）の周囲にのみ吐出される。そして、この状態で所望する部分の毛髪を梳かすことにより、部分染めあるいは部分整髪を行う。
【００４９】
次に、本参考例の毛髪化粧用具の効果について説明する。
本参考例の毛髪化粧用具は、上記の様な構成であり、上記の様に作用するので、前述した１）の効果が得られると共に、次の４）の様な効果が得られる。
４）本参考例の毛髪化粧用具では、毛髪化粧用具を倒立させるだけで、毛髪化粧料容器４０側に設けられている細孔２６を閉塞して部分吐出状態へ切り換えることができるので、吐出状態の切り換えを非常に容易に行うことができる、という効果が得られる。
【００５０】
［参考例３］
まず本参考例の毛髪化粧用具の構成について説明する。
【００５１】
図５は、本参考例の毛髪化粧用具の塗布部の構造を説明するための側面断面図である。
本参考例の毛髪化粧用具の塗布部２０は、図５に示す様に、塗布部先端体２０ａ及び塗布部本体２０ｂによって構成されている。
【００５２】
塗布部先端体２０ａには、参考例２における摺動板３２と同じ機能を有する摺動板３３が形成されており、塗布部本体２０ｂには、参考例２における収納部３４と同じ機能を有する収納部３５が形成されている。そして、摺動板３３には連通孔３２ａと同様の連通孔３３ａが、収納部３５には孔３４ａと同様の孔３５ａが各々設けられている。
【００５３】
そして、塗布部先端体２０ａは、摺動板３３が図５に示す矢印の方向に摺動することにより、図５（ａ）に示す様な位置から、図５（ｂ）に示す様な位置へと塗布部本体２０ｂに対して相対的に変位する。
なお、本参考例の毛髪化粧用具の外観は、塗布部先端体２０ａと塗布部本体２０ｂとの継目が存在する以外は従来の毛髪化粧用具と同一であるので、本参考例の毛髪化粧用具についての側面図、平面図等は省略する。また、毛髪化粧料容器４０及び肩部４１の構造も従来の毛髪化粧用具と同一であるので、毛髪化粧料容器４０及び肩部４１についての詳細な説明も省略する。
【００５４】
次に、本参考例の毛髪化粧用具の作用について説明する。
本参考例の毛髪化粧用具では、通常時、即ち摺動板３３が図５（ａ）に示す様な状態である場合には、毛髪化粧料は、主通路２４を通り、全ての細孔２６から吐出される。
【００５５】
部分染めあるいは部分整髪を行いたい場合には、毛髪化粧料容器４０あるいは塗布部本体２０ｂを固定して塗布部先端体２０ａを図５に示す矢印の方向に引いて、摺動板３３を収納部３５に対して摺動させる。そして、摺動板３３と収納部３５とが図５（ｂ）に示す様な位置関係になってから、肩部４１を押下する。このとき、図５（ｂ）に示す様に毛髪化粧料容器４０側の細孔２６（図５（ｂ）における下側９つの細孔）は摺動板３３によって閉塞されているので、毛髪化粧料容器４０から噴射された毛髪化粧料は、塗布部２０の先端側に設けられた細孔２６（図５（ｂ）における上側４つの細孔）にのみ導かれ、塗布部２０の先端側のブラシ歯２２（図４（ｂ）における上側５本あるいは６本程度のブラシ歯）の周囲にのみ吐出される。そして、この状態で所望する部分の毛髪を梳かすことにより、部分染めあるいは部分整髪を行う。
【００５６】
次に、本参考例の毛髪化粧用具の効果について説明する。
本参考例の毛髪化粧用具は、上記の様な構成であり、上記の様に作用するので、前述した１）の効果が得られると共に、次の５）の様な効果が得られる。
５）本参考例の毛髪化粧用具では、塗布部先端体２０ａを塗布部本体２０ｂから引き出すだけで、塗布部本体２０ｂに設けられている細孔２６を閉塞して部分吐出状態へ切り換えることができるので、吐出状態の切り換えを非常に容易に行うことができる、という効果が得られる。
【００５７】
［参考例４］
まず本参考例の毛髪化粧用具の構成について説明する。
【００５８】
図６は、本参考例の毛髪化粧用具の部分吐出状態における塗布部の構造を説明するための側面断面図である。
本参考例の毛髪化粧用具は、従来の毛髪化粧用具１と同様に塗布部２０と毛髪化粧料容器４０とを備え、前述した装着部としての首部２１及び開口部としての肩部４１を介して接続されている。そして、本参考例の毛髪化粧用具は、細孔キャップ３６を備える。
【００５９】
塗布部２０は、ブラシ歯２２と、主通路２４と、細孔２６とを備える。
細孔キャップ３６は、前述した細孔被覆部材として機能するものであり、毛髪化粧用具と別体に形成されており、外部から細孔２６を被覆することができる様に構成されている。
【００６０】
なお、本参考例の毛髪化粧用具の外観は、細孔キャップ３６が取り外されているときには、従来の毛髪化粧用具と同一であるので、本参考例の毛髪化粧用具についての側面図、平面図等は省略する。また、毛髪化粧料容器４０及び肩部４１の構造も従来の毛髪化粧用具と同一であるので、毛髪化粧料容器４０及び肩部４１についての詳細な説明も省略する。
【００６１】
次に、本参考例の毛髪化粧用具の作用について説明する。
本参考例の毛髪化粧用具では、従来の毛髪化粧用具と同様に、毛髪化粧料は、肩部４１を押下することによって毛髪化粧料容器４０から噴出される。すると、毛髪化粧料は、主通路２４を通って細孔２６へ向かう。
【００６２】
通常時、即ち細孔キャップ３６が取り付けられていない場合には、毛髪化粧料は、全ての細孔２６から吐出される。そして、細孔２６から吐出された毛髪化粧料は、塗布部２０全体のブラシ歯２２の周囲に保持される。毛髪化粧用具を使用する者は、毛髪化粧料が塗布部２０全体に保持された状態で毛髪を梳かすことにより、例えば毛髪全体等の広い範囲に毛髪化粧料を塗布し、染毛や整髪を行う。
【００６３】
部分染めあるいは部分整髪を行いたい場合には、図６に示す様に細孔キャップ３６を取り付けてから、肩部４１を押下する。すると、毛髪化粧料は細孔キャップ３６によって閉塞された細孔２６からは吐出されないので、毛髪化粧料は、塗布部２０の先端側のブラシ歯２２（図６における上側５本あるいは６本程度のブラシ歯）の周囲にのみ保持される。そして、この状態で所望する部分の毛髪を梳かすことにより、部分染めあるいは部分整髪を行う。
【００６４】
次に、本参考例の毛髪化粧用具の効果について説明する。
本参考例の毛髪化粧用具は、上記の様な構成であり、上記の様に作用するので、前述した１）の様な効果が得られると共に、次の６）及び７）の様な効果が得られる。
【００６５】
６）本参考例の毛髪化粧用具では、細孔キャップ３６によって外部から栓をすることによって細孔２６を閉塞するので、塗布部２０の内部を加工する必要がなく、製造工程の複雑化を招かない、という効果が得られる。
７）本参考例の毛髪化粧用具では、細孔キャップ３６が取り付けられているか否かによって、細孔２６が閉塞されているか否か、即ち部分吐出状態であるか否かを視覚的に判断することができるので、設定されている吐出状態を容易に確認することができる、という効果が得られる。
【００６６】
以上、本発明の実施の形態について説明したが、本発明は、前述した実施例に何等限定されるものではなく、さらに種々なる態様において実施してもよいことはもちろんである。
【００６７】
【００６８】
例えば、実施例においては、ブラシ歯を備えた毛髪化粧用具について説明したが、櫛歯を備えた毛髪化粧用具についても同様に本発明を適用することができる。
【図面の簡単な説明】
【図１】  参考例１及び実施例の毛髪化粧用具の塗布部の側面断面図である。
【図２】  参考例１の圧迫突起及び伸縮薄膜周辺の模式的側面断面図である。
【図３】  実施例の毛髪化粧用具の首部と肩部とが接続する箇所の構造を説明するための模式的側面断面図（ａ）（ｂ）、Ａ−Ａにおける首部の平面断面図（ｃ）及びＢ−Ｂにおける肩部の平面断面図（ｄ）である。
【図４】  参考例２の毛髪化粧用具の塗布部の側面断面図である。
【図５】  参考例３の毛髪化粧用具の塗布部の側面断面図である。
【図６】  参考例４の毛髪化粧用具の塗布部の側面断面図である。
【図７】  従来の毛髪化粧用具の側面図（ａ）及び平面図（ｂ）である。
【図８】  従来の毛髪化粧用具の塗布部の側面断面図である。
【符号の説明】
１…毛髪化粧用具  ２０…塗布部  ２０ａ…塗布部先端体
２０ｂ…塗布部本体  ２１…首部  ２２…ブラシ歯  ２４…主通路
２４ａ…第１通路  ２４ｂ…第２通路  ２６…細孔  ２８…伸縮薄膜
３０…圧迫突起  ３２…摺動板  ３２ａ…連通孔  ３３…摺動板
３３ａ…連通孔  ３４…収納部  ３４ａ…孔  ３５…収納部
３５ａ…孔  ３６…細孔キャップ  ４０…毛髪化粧料容器
４１…肩部。
【図１】
0003970397.tif 000002
【図２】
0003970397.tif 000003
【図３】
0003970397.tif 000004
【図４】
0003970397.tif 000005
【図５】
0003970397.tif 000006
【図６】
0003970397.tif 000007
【図７】
0003970397.tif 000008
【図８】
0003970397.tif 000009